Podtech/llm-jp-corpus-v4-ja_patent huggingface dataset:
(57)【要約】【課題】    手提げバッグをショルダーバッグまたは袈裟がけバッグとして使用する場合には専用ストラップを使用するというデザイン上、構造上の制約を解除し、手提げ用ストラップをショルダー用、袈裟がけ用にも使用できるデザイン、構造を実現する。【解決手段】  ストラップに複数の釦穴、バッグ本体内側に複数の釦を設ける事により、手提げ用ストラップをショルダー用にも袈裟がけ用にも使用し、ショルダー及び袈裟がけ用専用ストラップを不要とするデザイン、構造を実現する。【選択図】図１
0003181717.tif 000002
【実用新案登録請求の範囲】
【請求項１】
ストラップに複数の釦穴を設け、バッグ本体に複数の釦を設けて、その脱着位置の組合せを変える事により、手提げバッグ、ショルダーバッグ、袈裟がけバッグと使い分ける事を特徴とする手提げバッグ。
【考案の詳細な説明】
【技術分野】
【０００１】  本考案は、手提げバッグのストラップの脱着による長さの変更の仕方に関する。
【背景技術】
【０００２】    手提げバッグをショルダーまたは袈裟がけバッグとして兼用する時は専用のストラップを使用していた。
【考案の概要】
【考案が解決しようとする課題】
【０００３】  手提げバッグをショルダーまたは袈裟がけバッグとして兼用するときに専用のストラップを使用するのでバッグ全体の重量がかさむ。また、普段は手提げバッグとして使用する機会が多い場合は使わない専用ストラップを持ち運ばなければならない。
【課題を解決するための手段】
【０００４】  それを、同じストラップの脱着で手提げの長さ、ショルダーの長さ、袈裟がけの長さに使い分ける事により問題点を解決している。
【考案の効果】
【０００５】  ストラップに釦穴、バッグ本体内側に釦を設け、その掛け位置の組合せを変える事によりストラップの長さ、位置を変える。ショルダーまたは袈裟がけの専用ストラップが不要なためバッグ全体の軽量化が実現できる。
【図面の簡単な説明】
【０００６】
【図１】ストラップの釦穴とバッグ本体内側の釦の位置の見取り図である。
【図２】手提げバッグとして使用する場合の見取り図である。
【図３】ショルダーバッグとして使用する場合の見取り図である。
【図４】厚着の時にショルダーバッグとして使用する場合の見取り図である。
【図５】袈裟がけバッグとして使用する場合の見取り図である。
【考案を実施するための形態】
【０００７】  ストラップとバッグ本体の結合をストラップに複数の釦穴、バッグ本体内側に複数の釦を設ける事により、その結合の位置の組合せを変えるだけで手提げバッグ、ショルダーバッグ、袈裟がけバッグと使い分ける事を実現できる。
【実施例】
【０００８】  このストラップとバッグ本体の結合方法により、ショルダー用専用ストラップが不要となり、バッグ全体の軽量化が実現できる。
【符号の説明】
【０００９】１  バッグ本体
２  ストラップ
３  釦
４  釦穴
【図１】
0003181717.tif 000003
【図２】
0003181717.tif 000004
【図３】
0003181717.tif 000005
【図４】
0003181717.tif 000006
【図５】
0003181717.tif 000007
(57)【要約】      （修正有）【課題】堅固で軽量である接合構造体を提供する。【解決手段】パルプ高分子合材１とポリエチレンフィルム細片２を組み合わせて適量の水とセメント等の接着剤で固める。【選択図】図１
0003181715.tif 000002
【実用新案登録請求の範囲】
【請求項１】
パルプ高分子合材１とポリエチレンフィルム細片２を組み合わせて適量の水と接着剤で固めた、堅固で軽量であることを特徴とする接合構造体。
【考案の詳細な説明】
【技術分野】
【０００１】本考案は、製紙工程の製造ラインで生産されるパルプ高分子合材とポリエチレンフィルム細片からなる接合構造体に関する。
【背景技術】
【０００２】パルプ高分子合材とポリエチレンフィルム細片が別箇に存在する単独状態では、有効利用の方法がない。
【考案の概要】
【考案が解決しようとする課題】
【０００３】従来のコンクリートブロックなどの接合体は、岩石のように重くて衝撃に弱く割れやすい欠点があった。
【課題を解決するための手段】
【０００４】パルプ高分子合材１とポリエチレンフィルム細片２を組み合わせて適量の水とセメント等の接着剤で固めた、堅固で軽量であることを特徴とする接合構造体である。
【考案の効果】
【０００５】本考案は、パルプ高分子合材１とポリエチレンフィルム２との軽量特性と強靭特性の特徴が合併して役立って課題を解決するものである。
【図面の簡単な説明】
【０００６】
【図１】本考案の接合構造物の構成
【考案を実施するための形態】
【０００７】パルプ高分子合材１とポリエチレンフィルム細片２が別箇に存在する単独状態では、有効利用の方法がないところ、ポリエチレンフィルム細片２が接合時に、例えば、旧来から、壁土のスサのように接合体の安定確保に役立って、打撃を受けても、割れ防止に有効で接合体の強度確保に役立っている。
本考案の接合構造体４は、図１に示すようにパルプ高分子合材１とポリエチレンフィルム細片２を、適量にセメント３で固めたものである。
【符号の説明】１  パルプ高分子合材
２  ポリエチレンフィルム細片
３  セメント等の接着剤
４  接合構造体
【図１】
0003181715.tif 000003
(57)【要約】      （修正有）【課題】均等にファンデーションを塗ることを可能とする化粧用具としてのファンデーションバフを提供する。【解決手段】０．５μの繊維を有するメラミンフォームをファンデーションのバフ材として使用する。【選択図】図３
0003181711.tif 000002
【実用新案登録請求の範囲】
【請求項１】
メラミンフォーム材質のファンデーションバフ
【考案の詳細な説明】
【技術分野】
【０００１】本考案は、メラミンフォーム材質のファンデーションバフ化粧用具に関するものである。
【背景技術】
【０００２】化粧用具としてのファンデーションバフは、海綿、スポンジがあった。
【考案の概要】
【考案が解決しようとする課題】
【０００３】従来、化粧用具としてのファンデーションバフは、海綿、スポンジがあったが、皮膚の細かい皺や毛穴よりも、海綿、スポンジの繊維が大きく均等にファンデーションが塗ることが難しく、極細の毛筆は、顔面全体に均等に塗布するのに時間が有していたことを課題とした。
【課題を解決するための手段】
【０００４】本考案は、０．５μの繊維を有するメラミンフォームをファンデーションのバフ材として使用することにより、皮膚の細かい皺や毛穴よりも、メラミンフォームの繊維が細かいため、均等にファンデーションが塗ることに可能とすることを考えた。
【考案の効果】
【０００５】従来、化粧用具としてのファンデーションバフは、海綿、スポンジがあったが、皮膚の細かい皺や毛穴よりも、海綿、スポンジの繊維が大きく均等にファンデーションが塗ることが難しく、極細の毛筆は、顔面全体に均等に塗布するのに時間が有していたことを課題としたが、本考案は、０．５μの繊維を有するメラミンフォームをファンデーションのバフ材として使用することにより、皮膚の細かい皺や毛穴よりも、メラミンフォームの繊維が細かいため、均等にファンデーションが塗ることを可能にした。
【考案の実施するための形態】
以下、本考案の実施の形態について説明する。
（イ）、１．０．５μの繊維を有するメラミンフォーム
【図面の簡単な説明】
【図１】本考案の正面図である。
【図２】本考案の断面図である。
【図３】本考案の斜面図である。
【符号の説明】１．０．５μの繊維を有するメラミンフォーム
【図１】
0003181711.tif 000003
【図２】
0003181711.tif 000004
【図３】
0003181711.tif 000005
(57)【要約】      （修正有）【課題】屋内で夜間使用が可能な長寿命で軽量かつ薄型の棚下ランプを提供する。【解決手段】有機ＥＬデバイスを表側及び裏側がガラスまたは透明プラスチック製の収納ケース内に収め、外周部をＯリングまたは接着剤で封止することにより有機ＥＬデバイスの封止機能を強化するとともに、ケース内に窒素、アルゴン、キセノン、クリプトン等の高純度不活性ガスを封入して有機ＥＬデバイスの冷却効率を向上させ、収納ケース外に配置した蓄電池６と外部電源入力用ＵＳＢ端子７で構成される小型電力供給源５から電力を供給することにより、長時間安定して発光を持続する省エネルギーで長寿命の棚下ランプ１を実現した。【選択図】図４
0003181742.tif 000002
【実用新案登録請求の範囲】
【請求項１】
有機ＥＬデバイスを表側及び裏側がガラスまたは透明プラスチック製の収納ケース内に収め、外周部をＯリングでシールまたは接着剤で封着したことを特徴とする屋内用棚下ランプ。
【請求項２】
有機ＥＬデバイス収納ケースに窒素、アルゴン、キセノン、クリプトン等の高純度不活性ガスを封入したことを特徴とする請求項１記載の屋内用棚下ランプ。
【請求項３】
有機ＥＬデバイス収納ケース外に配置され蓄電池及び外部電源入力用ＵＳＢ端子で構成される棚下ランプ本体への小型電力供給源が蓄電池の電圧を検知して自動的に蓄電池へ電力供給できる機能を持ったことを特徴とする請求項２記載の屋内用棚下ランプ。
【考案の詳細な説明】
【技術分野】
【０００１】
本考案は、バー等の飲食店に使用する屋内照明用棚下ランプに関するものである。
【背景技術】
【０００２】
従来、バー等の飲食店等が屋内で使用する軽量かつ薄型の棚下ランプは無かった。
また、屋内で棚下に使用される自己発光性の有機ＥＬ平面ランプは無かった。
【０００３】
一方、有機ＥＬ照明パネルは軽量かつ薄型であり省電力性に優れているが、ガラス封止を行っただけのパネルのみでは長時間発光時の発熱によるデバイス劣化も発生するため、長時間屋内に配置して使用することは出来なかった。
【考案の概要】
【考案が解決しようとする課題】
【０００４】
本考案は屋内で夜間使用が可能な長寿命で軽量かつ薄型の屋内用棚下ランプを提供することを目的とする。
【課題を解決するための手段】
【０００５】
有機ＥＬデバイスを表側及び裏側が透明性の高いガラスまたは透明プラスチック製の収納ケース内に収め、外周部をＯリングでシールまたは接着剤で封着して封止機能を強化した。
【０００６】
有機ＥＬデバイス収納ケース内に窒素、アルゴン、キセノン、クリプトン等の高純度不活性ガスを封入して有機ＥＬデバイス発光時の冷却効率を向上させた。
【０００７】
有機ＥＬデバイス収納ケース外に蓄電池及び外部電源入力用ＵＳＢ端子で構成される小型電力供給源を配置し、棚下ランプ本体に電力を供給できるようにした。小型電力供給源には蓄電池の電圧を検知して自動的に蓄電池へ電力供給できる機能を持たせた。
【考案の効果】
【０００８】
本考案の屋内用棚下ランプは軽量かつ薄型で、ランプ本体内部の有機ＥＬデバイスは収納ケースによる二重封止により封止機能が強化され、不活性ガスのケース内封入によりデバイス発光時の冷却効率が大幅に向上し、小型電力供給源配置によりランプへの省電力安定供給が可能となり、長時間安定して発光を持続する長寿命化を実現した。
【図面の簡単な説明】
【０００９】
【図１】棚下ランプ本体全体図
【図２】棚下ランプ本体分解図
【図３】棚下ランプ本体断面図
【図４】屋内用棚下ランプユニット全体図
【図５】屋内用棚下ランプユニット断面図
【考案を実施するための形態】
【００１０】
図面に従って本考案の実施の形態を説明すると、
図１は棚下ランプ本体全体図で棚下ランプ本体１は収納ケース本体２内に有機ＥＬデバイス３が４枚収納された状態である。
【００１１】
図２は棚下ランプ本体分解図で有機ＥＬデバイス３が収納ケース本体２のガラスまたは透明プラスチック製の表側ケース２ａと裏側ケース２ｂ内に４枚収納された状態である。本実施形態では有機ＥＬデバイス３の収納枚数が４となっているが、収納枚数を限定するものではなく必要な棚下ランプのサイズに合わせて自由に変更可能である。
【００１２】
図３は棚下ランプ本体断面図で収納ケース本体２のガラスまたは透明プラスチック製の表側ケース２ａと裏側ケース２ｂの外周をＯリング４でシールしている状態である。気密性の高い収納ケース本体２の内側に有機ＥＬデバイス３を収納し二重封止を行うことにより従来のガラス単独封止よりも大幅に封止機能が強化された。Ｏリング４でシールする替わりにＵＶ硬化樹脂等の接着剤で外周を封着しても同等の封止性能が得られる。更に収納ケース本体２に窒素、アルゴン、キセノン、クリプトン等の高純度不活性ガスを大気圧または陽圧状態になるよう封入することにより有機ＥＬデバイス３で発生した熱が熱伝達により放熱し易くなり、有機ＥＬデバイス３発光時の冷却効率が大幅に向上した。
【００１３】
図４は本考案の一例である屋内用棚下ランプユニット全体図で棚下ランプ本体１は小型電力供給源５に接続されている。小型電力供給源５には外部電源入力用ＵＳＢ端子７が取り付けられており、日中ソーラーパネルまたはＤＣ５〜１２Ｖ電源から供給される電気を蓄電池６に蓄え、夜間必要な時間のみ小型電力供給源５から電気を供給して棚下ランプ本体１を点灯させことができる。また、小型電力供給源５には蓄電池６の電圧を検知して自動的に蓄電池６へ電力供給できる機能を持たせて必要な時にのみ必要な電力を供給できるようにした。
【００１４】
図５は屋内用棚下ランプユニット断面図で棚下ランプ本体１の裏側収納ケース２ｂが小型電力供給源５に取り付けられた冷却フィン等で構成された冷却パッド９の上面と接触して配置されている。有機ＥＬデバイス３の冷却効果をいっそう向上させるため、裏側収納ケース３をペルチェ素子等で構成された冷却機構を用いて直接冷却しても良い。
【符号の説明】
【００１５】
１  棚下ライト本体
２  有機ＥＬデバイス収納ケース本体
２ａ  表側収納ケース
２ｂ  裏側収納ケース
３  有機ＥＬデバイス
４  Ｏリング
５  小型電力供給源
６  蓄電池
７  外部電源入力用ＵＳＢ端子
８  点灯スイッチ
９  冷却パッド
【図１】
0003181742.tif 000003
【図２】
0003181742.tif 000004
【図３】
0003181742.tif 000005
【図４】
0003181742.tif 000006
【図５】
0003181742.tif 000007
(57)【要約】      （修正有）【課題】屋外でも天候に左右されず夜間使用が可能な長寿命で軽量かつ薄型の照明用バックライトを提供する。【解決手段】紫外線防止フィルム付きの有機ＥＬデバイス３を表側がガラスまたは透明プラスチックで裏側がアルミまたは鉄製の収納ケース２内に収め、外周部をＯリングまたは接着剤で封止することにより有機ＥＬデバイスの封止機能を強化するとともに、ケース内に窒素、アルゴン、キセノン、クリプトン等の高純度不活性ガスを封入して有機ＥＬデバイスの冷却効率を向上させ、雨や太陽光照射に長時間曝されても安定して発光を持続する長寿命バックライトを実現した。【選択図】図１
0003181741.tif 000002
【実用新案登録請求の範囲】
【請求項１】
紫外線防止フィルム付きの有機ＥＬデバイスを表側がガラスまたは透明プラスチックで裏側がアルミまたは鉄製の収納ケース内に収め、外周部をＯリングでシールまたは接着剤で封着したことを特徴とする屋外照明用バックライト。
【請求項２】
有機ＥＬデバイス収納ケースに窒素、アルゴン、キセノン、クリプトン等の高純度不活性ガスを封入したことを特徴とする請求項１記載の屋外照明用バックライト。
【考案の詳細な説明】
【技術分野】
【０００１】
本考案は、屋外に設置する展示物の照明用バックライトに関するものである。
【背景技術】
【０００２】
従来、飲食店等が屋外に設置するメニュー表示板を裏面から照らし出すような軽量コンパクトなバックライトは無かった。
また、屋外美術品を展示する自己発光性の有機ＥＬ平面ライトは無かった。
【０００３】
一方、有機ＥＬ照明パネルは軽量かつ薄型であり省電力性に優れているが、ガラス封止を行っただけのパネルのみでは雨や太陽光に含まれる紫外線照射等屋外の天候の影響を受けやすく、かつ長時間発光時の発熱と夏場における過加熱によるデバイス劣化も発生するため、長時間屋外に設置して使用することは出来なかった。
【考案の概要】
【考案が解決しようとする課題】
【０００４】
本考案は屋外でも天候に左右されず夜間使用が可能な長寿命で軽量かつ薄型の屋外照明用バックライトを提供することを目的とする。
【課題を解決するための手段】
【０００５】
紫外線防止フィルム付きの有機ＥＬデバイスを表側が透明性の高いガラスまたは透明プラスチックで裏側が放熱性の高いアルミまたは鉄製の収納ケース内に収め、外周部をＯリングでシールまたは接着剤で封着して封止機能を強化した。
【０００６】
有機ＥＬデバイス収納ケース内に窒素、アルゴン、キセノン、クリプトン等の高純度不活性ガスを封入して有機ＥＬデバイス発光時の冷却効率を向上させた。
【考案の効果】
【０００７】
本考案の屋外照明用バックライトは軽量かつ薄型で、バックライト内部の有機ＥＬデバイスは紫外線防止フィルムにより太陽光に含まれる紫外線被曝から防護され、収納ケースによる二重封止により封止機能が強化され、不活性ガスのケース内封入によりデバイス発光時の冷却効率が大幅に向上し、雨や太陽光照射に長時間曝されても安定して発光を持続する長寿命化を実現した。
【図面の簡単な説明】
【０００８】
【図１】バックライト全体図
【図２】バックライト分解図
【図３】バックライト断面図
【図４】屋外展示物照明ユニット全体図
【図５】屋外展示物照明ユニット断面図
【考案を実施するための形態】
【０００９】
図面に従って本考案の実施の形態を説明すると、
図１はバックライト全体図でバックライト本体１は収納ケース本体２内に有機ＥＬデバイス３が４枚収納された状態である。有機ＥＬデバイス３表面には紫外線防止フィルムが貼られており太陽光等に含まれる紫外線曝露に耐えられるようになっている。
【００１０】
図２はバックライト分解図で有機ＥＬデバイス３が収納ケース本体２のガラスまたは透明プラスチック製の表側ケース２ａとアルミまたは鉄製の裏側ケース２ｂ内に４枚収納された状態である。本実施形態では有機ＥＬデバイス３の収納枚数が４となっているが、収納枚数を限定するものではなく必要なバックライトのサイズに合わせて自由に変更可能である。
【００１１】
図３はバックライト断面図で収納ケース本体２のガラスまたは透明プラスチック製の表側ケース２ａとアルミまたは鉄製の裏側ケース２ｂの外周をＯリング４でシールしている状態である。気密性の高い収納ケース本体２の内側に有機ＥＬデバイス３を収納し二重封止を行うことにより従来のガラス単独封止よりも大幅に封止機能が強化された。Ｏリング４でシールする替わりにＵＶ硬化樹脂等の接着剤で外周を封着しても同等の封止性能が得られる。更に収納ケース本体２に窒素、アルゴン、キセノン、クリプトン等の高純度不活性ガスを大気圧または陽圧状態になるよう封入することにより有機ＥＬデバイス３で発生した熱が熱伝達によりアルミまたは鉄製の裏側ケース２ｂへ放熱し易くなり、有機ＥＬデバイス３発光時の冷却効率が大幅に向上した。
【００１２】
図４は本考案の一例である屋外展示物照明ユニット全体図で掲示物１０の裏面にバックライト本体１が配置され、バックライト本体１は小型電力供給源５に接続されている。小型電力供給源５には外部電源入力用ＵＳＢ端子７が取り付けられており、日中ソーラーパネルまたはＤＣ５〜１２Ｖ電源から供給される電気を充電池部６に蓄え、夜間必要な時間のみ小型電力供給源５から電気を供給してバックライト本体１を点灯させ展示物１０照明を行うことができる。
【００１３】
図５は屋外展示物照明ユニット断面図で掲示物１０の裏面に配置されたバックライト本体１の裏側収納ケース２ｂが小型電力供給源５に取り付けられた冷却フィン等で構成された冷却パッド１１の上面と接触して配置されている。有機ＥＬデバイス３の冷却効果をいっそう向上させるため、裏側収納ケース３をペルチェ素子等で構成された冷却機構を用いて直接冷却しても良い。
【符号の説明】
【００１４】
１  バックライト本体
２  有機ＥＬデバイス収納ケース本体
２ａ  表側収納ケース
２ｂ  裏側収納ケース
３  有機ＥＬデバイス
４  Ｏリング
５  小型電力供給源
６  充電池部
７  外部電源入力用ＵＳＢ端子
８  点灯スイッチ
９  充電池
１０  展示物
１１  冷却パッド
【図１】
0003181741.tif 000003
【図２】
0003181741.tif 000004
【図３】
0003181741.tif 000005
【図４】
0003181741.tif 000006
【図５】
0003181741.tif 000007
(57)【要約】      （修正有）【課題】室内より、容易に外気温を読み取ることができる外気温測定用温度計を提供する。【解決手段】温度計の表示面側に吸盤を取付け、ガラス窓の外側に装着できる構造とすることによって、室内から窓ガラス越しに外気温を読み取る事ができるようにした。【選択図】図１
0003181708.tif 000002
【実用新案登録請求の範囲】
【請求項１】
温度計の上下もしくは左右の両端に吸盤を取付、表示面を室内に向けて窓ガラスの外に装着する着想。
【考案の詳細な説明】
【技術分野】
【０００１】
なし
【背景技術】
【０００２】
なし
【先行技術文献】
【特許文献】
【０００３】
【特許文献１】なし
【非特許文献】
【０００４】
【非特許文献１】なし
【考案の概要】
【考案が解決しようとする課題】
【０００５】
冷暖房のため窓を閉め切った状態では、外気温を簡易に計る手段がない。
【課題を解決するための手段】
【０００６】
透明なガラス窓の外側に、温度計を、表示面を内側に向けて装着すれば、室内から窓ガラス越しに外気温を読み取る事ができる。
温度計の上下もしくは左右の両端に吸盤を取付れば、ガラス窓の外側に装着できる。
【考案の効果】
【０００７】
冷暖房の入／切や換気の判断、外出のための着衣の選択に当たり、外気温を簡易に知る事ができて利便である。
【図面の簡単な説明】
【０００８】
【図１】試作品を異なる方向から撮影した写真である。
【考案を実施するための形態】
【０００９】
なし
【実施例】
【００１０】
なし
【産業上の利用可能性】
【００１１】
なし
【符号の説明】
【００１２】
なし
【図１】
0003181708.tif 000003
【手続補正書】
【提出日】平成24年12月2日(2012.12.2)
【手続補正１】
【補正対象書類名】明細書
【補正対象項目名】全文
【補正方法】変更
【補正の内容】
【考案の詳細な説明】
【技術分野】
【０００１】なし
【背景技術】
【０００２】なし
【先行技術文献】
【特許文献】
【０００３】
【特許文献１】なし
【非特許文献】
【０００４】
【非特許文献１】なし
【考案の概要】
【考案が解決しようとする課題】
【０００５】冷暖房のため窓を閉め切った状態では、外気温を簡易に計る手段がない。
【課題を解決するための手段】
【０００６】透明なガラス窓の外側に、温度計を、表示面を内側に向けて装着すれば、室内から窓ガラス越しに外気温を読み取る事ができる。温度計の表示面、上下もしくは左右の両端に吸盤を取付れば、ガラス窓の外側に装着できる。吸盤は、場合により剥離する事もあり得る。当該温度計が高所より落下し、事故を生じる危険を予防するため、温度計本体にワイアーを通す孔を設ける。ワイヤーの端を、サッシ窓の框や外格子等にビス等で固着すれば、もし吸盤が剥離しても温度計は落下しない。
【考案の効果】
【０００７】冷暖房の入／切や換気の判断、外出のための着衣の選択に当たり、外気温を簡易に知る事ができて利便である。
【図面の簡単な説明】
【０００８】
【図１】概念図
【手続補正２】
【補正対象書類名】実用新案登録請求の範囲
【補正対象項目名】全文
【補正方法】変更
【補正の内容】
【実用新案登録請求の範囲】
【請求項１】
表示面側に吸盤を取り付けた事を特徴とする外気温測定用温度計
【手続補正３】
【補正対象書類名】図面
【補正対象項目名】図１
【補正方法】変更
【補正の内容】
【図１】
0003181708.tif 000004
(57)【要約】      （修正有）【課題】温水用の水を貯留する焼却炉の水貯留部の水を着火から沸騰迄の時間が、短時間で達成できる温水用加熱燃焼炉を提供する。【解決手段】温水用加熱燃焼炉１の主燃料を薪、木片、ガレキ等を燃焼させしかも煙道２中に水貯留部３に連通する伝熱管４を１本以上配設した為、短時間で水を沸騰させることができる。更に、煙道部に於いては、焚口部より、煙道部全てに、急勾配を設け、燃焼効率及び吸引力を高め、煙道部の後流部に燃焼排ガスの流れを通気遮断する切り替えダンパーを介して、前記燃焼排ガスを乾燥、若しくは、暖房、あるいは、燃焼再循環する燃焼ガス配管を配設したので、伝熱効率が優れ、又排ガスを二次燃焼させた為、大気中に放出する排ガスを半減できる。【選択図】図１
0003181704.tif 000002
【実用新案登録請求の範囲】
【請求項１】
温水用の水を貯留する燃焼炉の水貯留部を貫通して、一端側と他端側が外気に連通する煙道とからなる温水用加熱燃焼炉において、前記煙道の中途を前記水貯留部で、少なくとも、１か所以上、屈曲させたことを特徴とする温水用加熱燃焼炉。
【請求項２】
上記煙道の中途に、同煙道内を貫通し、上記水貯留部に連通する伝熱管を少なくとも、１本以上、配設したことを特徴とする請求項１の記載の温水用加熱燃焼炉。
【請求項３】
上記煙道の後流部に、燃焼排ガスの流れを通気遮断する切り替えダンパを介して、前記燃焼排ガスを乾燥、若しくは、暖房、あるいは、燃焼再循環する燃焼排ガス配管を配設したことを特徴とする請求事項１、または、請求事項２に記載の温水用加熱燃焼炉。
【考案の詳細な説明】
【技術分野】
【０００１】  本考案は、温水用加熱燃焼炉に関する、水産加工、養殖生簀、水族館、浴場、等温水槽を必要とする温水用加熱燃焼炉に関する。【０００２】  従来、この種の温水用加熱燃焼炉は、燃料が重油、若しくは、灯油等を使用していた為、燃費がかさみ経済的負担が掛かっていた。
【先行技術文献】
【特許文献】
【０００３】
【特許文献１】実用新案登録第３１５３１６７号公報
【考案の概要】
【０００４】
【考案が解決しようとする課題】
【０００５】  従来の温水用燃焼炉は、構造上に問題が有り、熱効率が悪く、着火から沸騰迄の時間が掛かりすぎていたので、熱効率の良い温水用加熱燃焼炉の提供が切望されていた。
【課題を解決するための手段】
【０００６】  上記の問題を解決するために、本考案は、温水用の水を貯留する焼却炉の水貯留部を貫通して、一端部と他端部が外気に連通する煙道からなる温水用加熱燃焼炉において、前記煙道の中途を前記水貯留部でＵ字状等、少なくとも、１箇所以上、屈曲させたことを特徴とする温水用加熱燃焼炉で、煙道の中途に、同煙道内を貫通し、水貯留部に連通する伝熱管を少なくとも、１本以上配設した。更に、煙道部に於いては、焚口部より、Ｕ字状迄の煙道部全てに、急勾配を設け、燃焼効率及び吸引力を高め、煙道部の後流部に燃焼排ガスの流れを通気遮断する切り替えダンパーを介して、前記燃焼排ガスを乾燥、若しくは、暖房、あるいは、燃焼再循環する燃焼ガス配管を配設したので、伝熱効率が優れ、又排ガスを二次燃焼させた為、大気中に放出する排ガスを半減できる温水用加熱炉を提供することができた。
【考案の効果】
【０００７】  本考案によれば、温水用加熱燃焼炉に於いて、温水用の水を貯留する焼却炉の水貯留部の水を着火から沸騰迄の時間が、短時間で達成できた。
【図面の簡単な説明】
【０００８】
【図１】本考案に係る一実施例を示す正図面である。
【図２】図１を側面から見た断面図である。
【考案を実施するための形態】
【０００９】  以下、本考案に係る一実施の形態を図面に基づき説明する。
【実施例】  図１は本考案に係る一実施例を示す温水用加熱燃焼炉の正面図であり、符号１は温水用加熱燃焼炉を示している。温水用の水を貯留する温水用加熱焼却炉１の水貯留部３を貫通して、一端部と他端部が外気に連通する煙道２からなる温水用加熱燃焼炉１であって、本実施例では、煙道２の中途を水貯留部３でＵ字状に屈曲させた。煙道２の中途に、煙道２内を貫通し、水貯留部３に連通する伝熱管４を、本実施例では、５本配設した。更に、煙道部に於いては、焚口部の補助燃焼室７より、Ｕ字状迄の煙道部全てに、急勾配を設け、燃焼効率及び吸引力を高め、煙道部の後流部に燃焼排ガスの流れを通気遮断する切り替えダンパー５を介して、本実施例では、燃焼排ガス配管６に燃焼再循環配管１１を接続したので、伝熱効率が優れ、又排ガスを二次燃焼させた為、大気中に放出する排ガスを半減できる温水用加熱炉を提供することができた。なお、説明は省略したが、燃焼排ガスの流れを通気遮断する切り替えダンパー５を介して、燃焼排ガスを乾燥、若しくは、暖房にも適用できる。【００１０】  図２は上記実施形態の図１を側面から見た断面図で、燃焼排ガスの流れを分かりやすく説明した図で、燃焼排ガスは、煙道２を流動しながら、伝熱管４を加熱し、Ｕ字状迄達した後、煙道部の後流部の通気切り替えダンパー５までの燃焼排ガスが流れる様子がわかる。また、本実施例では煙道２の中途に、煙道２内を貫通し、水貯留部３に連通する伝熱管４を設けない場合に比べて、伝熱管を５本設けたことにより、所定温度に達するまでの加熱時間が３０分程度、短縮できた。図２中の符号で、８はマンホールを、９はドレン管を、１０は温水の取出し口を図示している。
【産業上の利用可能性】
【００１１】  本考案は温水用加熱燃焼炉として、養殖生簀、水産加工、水族館等の水槽等に使用することが出来る。
【符号の説明】
【００１２】  １    温水用加熱燃焼炉
２    煙道
３    水貯留部
４    伝熱管
５    切替えダンパー
６    燃焼排ガス配管
７    補助燃焼室
８    マンホール
９    ドレン管
１０    温水の取出し口
１１    燃焼再循環配管
【図１】
0003181704.tif 000003
【図２】
0003181704.tif 000004
(57)【要約】      （修正有）【課題】人工木材を胴録とすることにより主要構造体としての長期耐久力を確保出来、かつ安全を兼ね備えたΘ形状角パイプ及びΘ形状角パイプ用フランジ板を提供する。【解決手段】Θシータパイプパネル製作において鎔接の火気を使用せず接続フランジをボルト・ナットでΘパイプを組付け外様を製作胴録を人工木材パイプにて組付け構造用合板を嵌め込む、安全と強度と耐久力を合せもったパネルを提供できかつΘパイプを損傷することもない。【選択図】図４
0003181707.tif 000002
【実用新案登録請求の範囲】
【請求項１】
建築等に使用される角パイプをΘシータ形状にすることにより飛躍的な強度を有する角パイプを形成する、材厚は中芯板も同厚とする、中芯板の位置は中心より中芯板の厚み分偏芯の中芯板となるΘ形状角パイプ。
【請求項２】
建築等パネル製作や箱物製作においてＬ・Ｔ・Ｘ形状接続に使用する角パイプ材厚と同厚のフランジ板を中芯板にボルト・ナットで締め付けパネル板を製作する、パネルはΘパイプ径厚の寸法内に納まり高い強度を保持かつ火気不使用で安全さらに低コストを特徴とする請求項１記載のΘシータ形状角パイプ用フランジ板。
【考案の詳細な説明】
【技術分野】
【０００１】  本考案は、建築等パネルを形成するΘシータパイプに関するものである。
【背景技術】
【０００２】  従来建築等軽量鉄骨使用構造体において鎔接接続の際に現場において危検な火気使用作業工程を必要としている現状がある。【０００３】  従来建築等の軽量鉄骨は主要構造体であるにもかかわらず胴縁として直接クギ打ちやスクリュークギ等で打ちつけ損傷することにより結露や雨漏りによる錆や腐食はさけられず構造体の強度および耐久力を滅失している現状がある。
【考案の概要】
【考案が解決しようとする課題】
【０００４】  本考案のΘシータパイプで製作建築等パネルは耐震構造はもとより制震構造体をも形成することにより長期耐久力耐震力制震力のある建築等パネルを供給することにある。【０００５】  本考案のΘシータパイプは使用部材と工法において軽量鉄骨造に直接スクリュークギによる錆や腐食、白蟻の被害等を防御することにある。
【課題を解決するための手段】
【０００６】  本考案のΘシータパイプで製作建築等パネルの外壁面に木毛セメント板、石膏ボードを貼り人工木材パイプの胴録にスクリュークギ等で打ちつけ、建築パネルと建築パネルの接続面に長期耐久力を有するプケルゴム系の強力な粘着力を持つ制震テープを用いることで制震力耐震力長期耐久力のある構造体を形成する。【０００７】  本考案のΘシータパイプで製作建築等パネルの製作工程において胴録部分に人工木材パイプを使用することにより壁面材や内壁材の取り付けの際に建築等パネルのΘシータパイプを損傷することや白アリの被害をも防御できる。
【考案の効果】
【０００８】  本考案のΘシータパイプ建築等パネルは高い精度と制震力耐震力長期耐久力を備え、建築費のコストダウンと省エネルギーに貢献するものである。【０００９】  本考案のΘシータパイプ建築等パネルの接続フランジは工場生産や現場作業の際に危検な鎔接の火気もなく安全を確保できＣＯ２の削減にも大きく貢献するものである。
【図面の簡単な説明】
【００１０】
【図１】本考案に係るΘシータパイプの断面図と接続板フランジの使用枚数による断面比率を表示したものである。
【図２】本考案に係るΘシータパイプＩ形接続断面と接続フランジ板の図面と使用の表示である。
【図３】本考案に係るΘシータパイプパネル板平面図と断面図である。
【図４】本考案に係るΘシータパイプ人工木材の材厚断面図であり、断面比率はΘシータパイプと同じである。
【図５】本考案に係るΘシータパイプ箱形状製作３方接続図であり、８ヶ所接続することにより箱形状の６面体となる。
【考案を実施するための形態】
【００１１】  以下に、本考案に係るΘパイプの実施例を図１および図４に基づいて説明する。本考案に係るΘシータパイプを形成する材質により材厚の違いを表示することを断面図に表わしたものである。
【００１２】  このΘシータパイプパネル板の製作の実施にあたり図２および図３に基づいて説明する。本考案に係るΘシータパイプによるパネルはΘシータパイプを接続フランジにてパネル枠を作り、人工木材による胴録を取り付け、構造用合板を嵌め込ことによるパネルの構成を図示したものである。
【００１３】  このΘシータパイプ箱形状の製作について図５に基づいて説明する。本考案に係るΘシータパイプの三方接続を８ヶ所接続することにより箱形状の６面体となる。建築等に使用されるΘシータパイプパネル板との組合せで安全と耐久力と強度を確保できる。
【図１】
0003181707.tif 000003
【図２】
0003181707.tif 000004
【図３】
0003181707.tif 000005
【図４】
0003181707.tif 000006
【図５】
0003181707.tif 000007
(57)【要約】      （修正有）【課題】パーツを付帯することなく、固定的なぬいぐるみの表情の印象を容易に変化させることができるぬいぐるみを提供する。【解決手段】ぬいぐるみの顔面とぬいぐるみの手の先端の内部に磁性体を設置し、その磁力によって手を顔の各所につけることにより、手ぶりの表現で表情の印象を変化させる。【選択図】図１
0003181706.tif 000002
【実用新案登録請求の範囲】
【請求項１】
顔面の目の下、耳、口元、頬、鼻の内部、および、手のひらの内部に磁性体を設置し、表情の印象を変化させることを特徴としたぬいぐるみ
【請求項２】
請求項１記載のぬいぐるみを応用し、かばんの要素と一体化したザック、パック、かばん類
【考案の詳細な説明】
【技術分野】
【０００１】この考案は、顔面および手の内部に磁性体を設置して手の配置を変えることにより表情の印象を変えるぬいぐるみ、及びこのぬいぐるみの技術を応用し、かばんの要素と一体化したザック、パックかばん類に関するものである。
【背景技術】
【０００２】従来のぬいぐるみの表情は固定的で、その全体の雰囲気で楽しむものであるが、表情の変わらない無生物であるぬいぐるみに対して、時として声をかけてみたり、あたかもコミュニケーションを取る事が可能な生物のように扱って、想像の中での表情の変化を楽しんでいる。【０００３】そのようなぬいぐるみにおいて、表情そのものを変えるための磁石がついたパーツをいくつか用意しておいて、それを交換することで表情の印象を変えるというぬいぐるみが提案されている。
（参考文献：実用新案登録第３０８２２４１号）
【先行技術文献】
【０００４】
【実用新案登録文献】
実用新案登録第３０８２２４１号
【考案の概要】
【考案が解決しようとする課題】
【０００５】しかしながら、以上の技術によれば表情を変化させるために顔のパーツを常に携行もしくは本体に付帯しておらなければならず、その作業も煩雑である。
表情の変化の目的は感情の変化を表現し、擬似的なコミュニケーションを楽しむことであるから、表情の構成要素である目、鼻、口などを物理的に変化させなくても、手ぶりなどで表情の印象は変えることができ、それにより感情の変化を表現する事ができる。
そこで、この考案は簡易な機能で表情の印象の変化を伝えられるぬいぐるみを提供することを課題とする。
【課題を解決するための手段】
【０００６】以上の課題を解決するために、本考案はぬいぐるみの顔面の目の下、耳、口元、頬、鼻の内部、及び、ぬいぐるみの手の内部に磁性体を設置し、磁力の引き合う力を利用して、ぬいぐるみの手が顔の各所につくようにしたものである。
【考案の効果】
【０００７】本考案によれば、ぬいぐるみの顔面の磁性体を設置した各所に、同じく磁性体を内蔵したぬいぐるみの手をくっつけることにより、手ぶりの表現で様々な表情の印象の変化を表現する事ができる。
動作に必要な部材は全て内蔵されているため、ぬいぐるみ本体以外のパーツの携行なども必要としない。表情の印象を変化させる動作も容易なため、何回も楽しむことができる。
表情の印象の変化を通じて多くの情報を伝達できるため、ぬいぐるみの付加価値が格段に向上するものである。
【図面の簡単な説明】
【０００８】
【図１】本考案の一実施形態を示す正面図である。
【図２】図１のぬいぐるみの表現する表情の印象例の説明図。
【考案を実施するための形態】
【０００９】この考案の一実施形態を、図１に示す。
ぬいぐるみの手１の先端の内部には強力な磁性体が内蔵してある。
【００１０】ぬいぐるみの顔面の裏側の各所（目の下２、耳３、口元４、頬５、鼻６）にも磁性体が設置してある。
【００１１】ぬいぐるみの手１をぬいぐるみ顔面の各部にかざすと磁力により固定化され、表情の印象を大きく変化させることができる。
【００１２】目の下２に手をつけることで１０  号泣、口元４に手をつけることで、１１  驚嘆  などが表現できる。耳３については手を付ける位置が前と後ろでは印象が変わる。（１２  拒否  と  １４  バンザイ）、その他の表現については図２の１０〜２１に示す。
【００１３】表情の表現は磁力によってぬいぐるみの手１を固定化することによってなされているので、容易に変化させることができ、付帯のパーツなどなしに表情の変化を楽しむことができる。
「実施形態の効果」
【００１４】図１の実施形態ではぬいぐるみ全身の形状をしているが、他の実施形態ではぬいぐるみ頭部と手の部分だけでもよく、これを応用してかばんやリュックなどと一体化したものでも良い。
【符号の説明】
【００１５】１  ぬいぐるみの手      ２  目の下      ３  耳      ４  口元      ５  頬
６  鼻
１０  号泣      １１  驚嘆      １２  拒否      １３  歓喜      １４  バンザイ
１５  忌避      １６  悲しみ    １７  挨拶      １８  微笑      １９  思案
２０  疑問      ２１  泣きべそ
【図１】
0003181706.tif 000003
【図２】
0003181706.tif 000004
(57)【要約】      （修正有）【課題】遠方に住む親戚、知人に近況を伝える為に撮った写真を入れてそのまま送る事が出来  受け取った側もそのまま飾る事が出来る写真立てを提供する。【解決手段】厚さ０．３ミリメートルの透明ポリプロピレンシートを二枚重ねて圧着し、写真挿入部分と裏側衝立部を一体成型する。この様に加工することで、畳んだ状態が薄くなり封筒に入れ郵送が可能になる。【選択図】図１
0003181721.tif 000002
【実用新案登録請求の範囲】
【請求項１】
厚さ０．３ミリメートルの透明ポリプロピレンシートを二枚重ねて圧着した写真立て
【考案の詳細な説明】
【技術分野】
【０００１】本考案は厚さ０．３ミリメートルの透明ポリプロピレンシートを二枚重ねて圧着し写真挿入部分と裏側衝立部分を一体成型した物である
【背景技術】
【０００２】写真挿入部分と裏側衝立部分を一体成型した事により畳んだ状態が薄くなり封筒に入れ郵送が可能になる
【考案が解決しようとする課題】
【０００３】本考案の写真立ては遠方に住む親戚、知人などに近況を伝える為に撮った写真を入れてそのまま送る事が出来て受け取った側もそのまま飾る事が出来る
【課題を解決する為の手段】
【０００４】本考案は厚さ０．３ミリメートルの透明ポリエチレンシートを二枚重ねて一枚は横幅１１．５センチメートル縦幅４４センチメートル後の一枚は横幅１１．５センチメートル縦幅１６センチメートルで裁断し二枚を重ねて左右を高周波で圧着することで写真挿入部分と衝立部分を一体成型して解決している
【考案の効果】
【０００５】上述の様に本考案写真立ては簡単に組み立て可能で近況を写真に撮って送れると言う事で役立つ
【図面の簡単な説明】
【０００６】
【図１】本考案の送れる写真立ての組み立て図面である
【図１】
0003181721.tif 000003
(57)【要約】      （修正有）【課題】柔軟性や風合いの良さを高めるエンボスをウエブに付与するエンボスロールを提供する。【解決手段】その表面に、裁頭円錐形状であり、裁頭面３に溝４が彫られているエンボス凸部２を多数備えさせ、特に、裁頭面３の溝４が、裁頭面３の面積の１０〜９０％（好ましくは、３０〜７０％）を占めるようにして、かつ、網目状に彫られている。【選択図】図１
0003181754.tif 000002
【実用新案登録請求の範囲】
【請求項１】
ウエブにエンボスを施すエンボス凸部を備え、このエンボス凸部が裁頭錐形状であり、その裁頭面に溝が彫られていることを特徴とするエンボスロール。
【請求項２】
前記溝が網目状であることを特徴とする請求項１に記載のエンボスロール。
【考案の詳細な説明】
【技術分野】
【０００１】
本考案は、ウエブをエンボス加工するのに用いるエンボスロールに関する。
【背景技術】
【０００２】
トイレットペーパーやキッチンタオル等の衛生紙製品には、表面に凹凸（エンボス）が形成されている。柔軟性や風合い、吸液性、美粧性、拭き取りやすさ等の観点からである。この凹凸を施すための加工、所謂エンボス加工に用いられる圧胴ロールであるエンボスロールにおいて、これらの効果を向上させるために、様々な形状のエンボス凸部を備えたものが登場している。
【０００３】
例えば、下記特許文献１では、エンボス個数、エンボス深さ、エンボス後のウエブの厚さが一定の範囲に規定されるようにしたエンボスロールについて記載されている。下記特許文献２では、エンボス個数、エンボス深さのほか、平面視形状を規定するようにしたエンボスロールについて記載されている。
【先行技術文献】
【特許文献】
【０００４】
【特許文献１】特開２００３−２７５１２８号公報
【特許文献２】特開２０１２−１７９０７１号公報
【考案の概要】
【考案が解決しようとする課題】
【０００５】
このようにエンボスロールに備えられるエンボス凸部の形状を工夫し、柔軟性や風合い、吸液性、美粧性、拭き取りやすさ等をはじめ、様々な付加価値を新たに創造しようという取り組みが進んでいる。その一環として考案者はこのほど、ウエブの柔軟性や風合いの良さを更に付与することができる新たなエンボス凸部の形状を創作した。そして、本考案は、上記実情に鑑み、柔軟性や風合いの良さを高めたエンボスをウエブに施すことが可能なエンボス凸部を備えたエンボスロールを提供することを目的とする。
【課題を解決するための手段】
【０００６】
上記目的を達成するため、本考案に係るエンボスロールは、ウエブにエンボスを施すエンボス凸部を備え、このエンボス凸部が裁頭錐形状であり、その裁頭面に溝が彫られていることを特徴とする。この溝は網目状であることが好ましい。
【考案の効果】
【０００７】
エンボス凸部を裁頭錐形状とし、特に、その裁頭面に溝を彫った構成により、本考案では、柔軟性や風合いの良さを高めたエンボスをウエブに施すことができる。なお、エンボスロールからウエブへ与える圧力の値は従来のままで構わない。
【０００８】
さらに、裁頭面の溝が網目状であるエンボス凸部を備えた本考案に係るエンボスロールは、ウエブに対し、エンボスの１つ１つに、さらに微小なエンボスを形成することができるため、ウエブの柔軟性や風合いの良さ等の質感を更に向上させることができる。
【図面の簡単な説明】
【０００９】
【図１】本考案に係るエンボスロールの概略を示す概略斜視図と、その要部（溝形状）を拡大して説明する要部拡大説明図である。
【図２】図１における要部（溝形状）のバリエーションを説明する説明図である。
【考案を実施するための形態】
【００１０】
以下、本考案の一実施形態について図面を参照しつつ説明する。
【００１１】
本考案に係るエンボスロール１は、図１に示すように、圧胴ロールであって、その表面にエンボス凸部２を多数備えて構成されている。エンボス凸部２は裁頭錐形状、例えば、裁頭円錐形状であり、その裁頭面３に溝４が彫られている。
【００１２】
裁頭面３の溝４は、図１に示すように網目状に彫られている。また、裁頭面３の溝４は、十文字型溝４ａ、丸形溝４ｂ、三角型溝４ｃ、四角型溝４ｄ、渦型溝４ｅ、波形溝４ｆなどの図２に示す各種の形態で彫られていてもよい。その他、本考案の課題を解決することが可能であれば、どのような模様で溝が彫られていてもよい。
【００１３】
ただし、裁頭面３の溝４が図１に示すような網目状である構成により、本考案に係るエンボスロール１はウエブに対し、１つ１つのエンボスの中に、さらに微小なエンボスが形成されるエンボス加工を施すことができる。このようなエンボス加工により得られるウエブは、柔軟性や風合い等の質感が更に向上する。
【００１４】
また、裁頭面３の溝４は、裁頭面３の面積の１０〜９０％（好ましくは、３０〜７０％）を占めるよう彫られることにより、従来に比べ柔軟性や風合いの良さを高めたエンボスをウエブに付与することができる。溝４の深さは、エンボス凸部２の高さを超えない範囲で任意である。
【００１５】
さらに、エンボス凸部２は、例えば、その密度が２〜２００個／ｃｍ2であり、その高さが０．０５〜１．５ｍｍであり、１つの裁頭面３の面積が０．５〜５．０／ｍｍ2である。これにより、従来のエンボス加工に比べ、柔軟性や風合いの良さを高めることができる。ロットによってエンボスを付与するウエブのプライ数が異なる場合には、上述した数値を、その範囲内において調整すれば、柔軟性や風合いの良さを高めることができる。なお、上述した数値を外れると、エンボス（凹凸）の潰れや消えが生じたり、凹凸の感触を強く感じ過ぎたり、感じなかったりと風合いが劣ることになる。
【００１６】
ここで、エンボスロール１がウエブに対して付与する圧力は従来と同様とすればよい。従来と同様の大きさ（直径）の圧胴ロールに上述したエンボス凸部２を備えさせることで本考案に係るエンボスロール１を構成することが可能である。
【００１７】
以上、本考案の出願人が最良であると信じる一実施形態を詳述したが、本考案は、実用新案登録請求の範囲に記載された事項を逸脱することがなければ、上記実施形態に限定されることなく、種々の設計変更を行うことが可能である。例えば、上記実施形態では、エンボス凸部の形状について裁頭円錐形状を例示しているが、裁頭面が形成される裁頭錐形状であれば、裁頭三角錐形状、裁頭四角錐形状等であってもよい。例えば、裁頭四角錐形状は上述した数値範囲のエンボス凸部を備えるエンボスロールとして構成しやすい。
【符号の説明】
【００１８】
１・・エンボスロール
２・・エンボス凸部
３・・裁頭面
４・・溝（網目状溝）
４ａ・十文字型溝、
４ｂ・丸形溝、
４ｃ・三角型溝、
４ｄ・四角型溝、
４ｅ・渦型溝
４ｆ・波形溝
【図１】
0003181754.tif 000003
【図２】
0003181754.tif 000004
(57)【要約】      （修正有）【課題】カーペット層とクッション層との粘着が強固で、便利に取外せ、組み合わせと運搬も非常に便利な粘着カーペットを提供する。【解決手段】粘着カーペットは、多角形のカーペット層とクッション層とを含む。該カーペット層の上表面はカーペット表層１、下表面はナイロンループ層２、クッション層の上表面はナイロンフック層３であり、カーペット層はナイロンループ層とナイロンフック層の粘着によってクッション層と上下に固定される。【選択図】図２
0003181755.tif 000002
【実用新案登録請求の範囲】
【請求項１】
多角形のカーペット層とクッション層とを含む粘着カーペットにおいて、
前記カーペット層の上表面はカーペット表層で、下表面はナイロンループ層であり、前記クッション層の上表面はナイロンフック層であり、
前記カーペット層はナイロンループ層とナイロンフック層の粘着によってクッション層と上下に固定されることを特徴とする請求項１に記載の粘着カーペット。
【請求項２】
前記カーペット層とクッション層の大きさは同一であることを特徴とする請求項１に記載の粘着カーペット。
【請求項３】
前記多角形は、正方形、長方形、三角形、正五角形、正六角形であることを特徴とする請求項１に記載の粘着カーペット。
【考案の詳細な説明】
【技術分野】
【０００１】
本考案はカーペットに関し、特に粘着カーペットに係る。
【背景技術】
【０００２】
伝統的なカーペットには、幅が一定で、長さをカットできるカーペットの他、一定規格サイズのカーペット（小サイズのタイルカーペットや大サイズのタイルカーペット）がある。カーペットと床面の固定は一般に、カーペット背面に設けた不乾性接着剤の粘着によってタイルカーペットと床面を貼り合わせて固定するか、カーペット背部の床に密着する面に直接接着剤を塗布し、カーペットの背面を直接床面に粘着させて固定する。
【０００３】
前述の小サイズのタイルカーペットは、面積が小さく粘着が便利であるが、欠点もある。それは、粘着時に不乾性接着剤を使用すると、カーペットが湿気を受ける環境での使用において、カーペットと床面が密着されず剥がれてしまうこともある。また、接着剤で粘着した場合は、一旦固定すると剥がし難くなる。
【０００４】
また、前記大サイズのタイルカーペットは、一枚の面積が大きいため、粘着や運搬の過程が不便である。
【考案の概要】
【考案が解決しようとする課題】
【０００５】
本考案の目的は、粘着カーペットを開示し、現有のカーペットにおける使用の不便性という欠点を解決することにある。
【課題を解決するための手段】
【０００６】
本考案に開示した粘着カーペットは、多角形のカーペット層とクッション層とを含む。該カーペット層の上表面はカーペット表層、下表面はナイロンループ層、クッション層の上表面はナイロンフック層であり、カーペット層はナイロンループ層とナイロンフック層の粘着によってクッション層と上下に固定される。
【０００７】
そのうち、カーペット層とクッション層の大きさは同一である。
【０００８】
そのうち、多角形は、正方形、長方形、三角形、正五角形、正六角形である。
【考案の効果】
【０００９】
現有のタイルカーペットとを比較すると、本考案の粘着カーペットは、カーペット層とクッション層との粘着が強固で、便利に取外せ、組み合わせと運搬も非常に便利である。
【図面の簡単な説明】
【００１０】
【図１】本考案粘着カーペットの立体図である。
【図２】図１円形部分の拡大図である。
【図３】本考案粘着カーペットの分解図である。
【図４】本考案粘着カーペットの第一組立図である。
【図５】本考案粘着カーペットの第二組立図である。
【図６】本考案粘着カーペットの第三組立図である。
【図７】本考案粘着カーペットの第四組立図である。
【考案を実施するための形態】
【００１１】
次に、図面を参照とした本考案の具体的な実施例についての詳細説明を行うが、本考案の保護範囲は、具体的な実施例によって制限されないものとする。
【実施例】
【００１２】
図1〜図7に示した本考案の粘着カーペットは、小サイズの単一型であり、カーペット層とクッション層とを含む。該カーペット層の上表面はカーペット表層1、下表面はナイロンループ層2、クッション層の上表面はナイロンフック層3であり、下表面と床面とは接触する。
【００１３】
本分野の技術者の説明では、ナイロンループとナイロンフックによって、粘着して一体となる面ファスナーを構成する。
【００１４】
カーペット層とクッション層は、ナイロンループ層2とナイロンフック層3を係合させて一体に連結し、カーペット層が上に位置し、クッション層が下に位置する。
【００１５】
本考案の粘着カーペットを使用する際は、先ず複数の正方形のクッション層を床面上に、下表面を下に向け、上表面を上に向けて置く。さらに、同じ大きさのカーペット層をクッション層の各接合部位に粘着して組み合わせる。これにより、各クッション層を粘着して一体化する作用を起こすと共に、カーペット層もまたクッション層に組み合わせて一体化する。壁の角に近い箇所で、カーペット層或いはクッション層全体が完全に敷き詰められない時、カットする工具を用いてそれをカットし、カーペット層とクッション層を敷く作業を完成する。
【００１６】
本実施例に示すとおり、カーペット層とクッション層の大きさが同一である時、カーペット層とクッション層を粘着し一体化して運搬すると便利である。尚且つ、カーペット層とクッション層を貼り合わせると便利である。
【００１７】
説明すべき点は、本考案のカーペット層とクッション層の形状は正方形に限らず、長方形、三角形、正五角形、正六角形等としてもよい。
【００１８】
現有のタイルカーペットとを比較すると、本考案の粘着カーペットは、カーペット層とクッション層との粘着が強固で、便利に取外せ、組み合わせと運搬も非常に便利である。
【００１９】
以上は、公開する本考案の一つの具体的な実施例であるが、本考案はこれに制限されることはなく、いかなる分野の技術者によって考えられる変化は全て、本考案の保護範囲に含まれるものとする。
【符号の説明】
【００２０】
１ カーペット表層
２ ナイロンループ層
３ ナイロンフック層
【図１】
0003181755.tif 000003
【図２】
0003181755.tif 000004
【図３】
0003181755.tif 000005
【図４】
0003181755.tif 000006
【図５】
0003181755.tif 000007
【図６】
0003181755.tif 000008
【図７】
0003181755.tif 000009